(57)【特許請求の範囲】
【請求項１】
前面に開口を有するボックス本体を備え、そのボックス本体の開口に臨むとともに、同ボックス本体に配線器具を取付可能な取付孔を有する一対の配線器具取付部がボックス本体の周壁内面に一体形成され、同ボックス本体の開口の前方に壁材を設置して予め同壁材の裏側にその壁材側へ動くように配置される配線用ボックスであって、
前記壁材にはボックス本体に対応する位置に貫通孔が形成され、当該壁材の表側から配線器具が配線器具保持枠を介して取り付けられる際に、取付ビスが前記取付孔へ螺進されることにより、ボックス本体が壁材側へ引き寄せられて壁材に対して食い込み可能な突刺体を、同ボックス本体の前面に形成した配線用ボックス。
【請求項２】
前記突刺体は少なくとも一対がそれぞれ相対向して設けられている請求項１に記載の配線用ボックス。
【請求項３】
前面に開口を有する枠体を備え、その枠体の開口に臨むとともに、同枠体に配線器具を取付可能な取付孔を有する一対の配線器具取付部が枠体の周壁内面に一体形成され、同枠体の開口の前方に壁材を設置して予め同壁材の裏側にその壁材側へ動くように配置される配線器具取付枠であって、
前記壁材には枠体に対応する位置に貫通孔が形成され、当該壁材の表側から配線器具が配線器具保持枠を介して取り付けられる際に、取付ビスが前記取付孔へ螺進されることにより、枠体が壁材側へ引き寄せられて壁材に対して食い込み可能な突刺体を、同枠体の前面に形成した配線器具取付枠。
【請求項４】
前記突刺体は少なくとも一対がそれぞれ相対向して設けられている請求項３に記載の配線器具取付枠。
【発明の詳細な説明】
【０００１】
【発明の属する技術分野】
この発明は、例えば、建築物の壁に取付固定されてその内部にケーブルが配線されるとともに、そのケーブルに接続される配線器具を取付可能な配線用ボックス及び配線器具取付枠に関するものである。
【０００２】
【従来の技術】
従来より、壁に配線器具を取り付けるために、配線用ボックス又は配線器具取付枠が使用されている。この配線用ボックスは、開口を有する有底四角箱状をなす合成樹脂材料製のボックス本体を備え、配線器具取付枠は開口を有する四角枠状をなす合成樹脂材料製の枠体を備えている。ボックス本体又は枠体の一側壁には、それぞれ側壁を貫通してビス孔が２箇所に形成されている。また、ボックス本体又は枠体の上壁及び下壁の内面には配線器具取付部がそれぞれ一体形成されている。各配線器具取付部にはボックス本体又は枠体の開口側に臨む取付孔が形成され、各取付孔からそれぞれ配線器具取付部内に形成された雌ねじ部に取付ビスを螺合可能になっている。
【０００３】
そして、この配線用ボックス又は配線器具取付枠の使用の際は、まず、ビス孔から柱にビスを固定して、配線用ボックス又は配線器具取付枠を柱に取付ける。次に、その配線用ボックス又は配線器具取付枠の近傍に配線された配設部材としてのケーブルを、配線用ボックス又は配線器具取付枠内に配線し、配線用ボックス又は配線器具取付枠の開口の前方に壁を設置して配線用ボックス又は配線器具取付枠を壁裏側に配置する。
【０００４】
上記配線用ボックス又は配線器具取付枠を使用して壁に配線器具を取付ける際は、まず、壁表側から壁裏側の配線用ボックス又は配線器具取付枠に対応する位置に孔を開け、配線用ボックス又は配線器具取付枠の開口を壁表側に臨ませる。次いで、配線用ボックス又は配線器具取付枠内のケーブルを壁表側に引き出し、そのケーブルに配線器具としてコンセントを接続する。最後に、そのコンセントを配線器具保持枠に保持させて、その配線器具保持枠の上下両端部に形成された透孔から前記配線器具取付部の各取付孔にそれぞれ取付ねじを挿通し、各取付ねじを雌ねじ部に螺合する。
【０００５】
その結果、壁の表側に配線器具保持枠が取り付けられるとともに、その配線器具保持枠を介してコンセントが配線用ボックス又は配線器具取付枠に取り付けられる。そして、そのコンセントに電機機器のプラグが差し込まれて使用される。
【０００６】
【発明が解決しようとする課題】
ところが、電機機器の使用の際、例えばその電気機器の移動に伴いプラグにはねじれ等の応力が作用し、その応力は前記コンセントに作用する。さらに、コンセントに作用する応力はそのコンセントを保持する配線器具保持枠及び取付ビスを介して配線器具取付部に作用する。このとき、配線用ボックス又は配線器具取付枠はその一側壁のみが柱に固定され、上壁及び下壁は固定されていないため、配線器具取付部に作用した応力はその配線器具取付部が形成されたボックス本体又は枠体の上壁及び下壁に直接作用する。その結果、その応力により上壁及び下壁が変形したり、損傷したりするおそれがあるという問題があった。また、ボックス本体又は枠体の上壁及び下壁が変形したり、損傷を受けたりすることにより、配線用ボックス又は配線器具取付枠に取り付けられたコンセントの取付状態が不安定になるという問題もあった。
【０００７】
この発明は、このような従来技術に存在する問題点に着目してなされたものである。その目的とするところは、配線器具に作用する応力により、ボックス本体又は枠体が変形したり、損傷を受けたりするおそれをなくし、ボックス本体又は枠体に対して配線器具を安定して取り付けることができる配線用ボックス及び配線器具取付枠を提供することにある。
【０００８】
【課題を解決するための手段】
上記の目的を達成するために、請求項１に記載の発明の配線用ボックスは、前面に開口を有するボックス本体を備え、そのボックス本体の開口に臨むとともに、同ボックス本体に配線器具を取付可能な取付孔を有する一対の配線器具取付部がボックス本体の周壁内面に一体形成され、同ボックス本体の開口の前方に壁材を設置して予め同壁材の裏側にその壁材側へ動くように配置される配線用ボックスであって、前記壁材にはボックス本体に対応する位置に貫通孔が形成され、当該壁材の表側から配線器具が配線器具保持枠を介して取り付けられる際に、取付ビスが前記取付孔へ螺進されることにより、ボックス本体が壁材側へ引き寄せられて壁材に対して食い込み可能な突刺体を、同ボックス本体の前面に形成したものである。
【０００９】
請求項２に記載の発明の配線用ボックスは、請求項１に記載の発明において、前記突刺体は少なくとも一対がそれぞれ相対向して設けられているものである。
請求項３に記載の配線器具取付枠は、前面に開口を有する枠体を備え、その枠体の開口に臨むとともに、同枠体に配線器具を取付可能な取付孔を有する一対の配線器具取付部が枠体の周壁内面に一体形成され、同枠体の開口の前方に壁材を設置して予め同壁材の裏側にその壁材側へ動くように配置される配線器具取付枠であって、前記壁材には枠体に対応する位置に貫通孔が形成され、当該壁材の表側から配線器具が配線器具保持枠を介して取り付けられる際に、取付ビスが前記取付孔へ螺進されることにより、枠体が壁材側へ引き寄せられて壁材に対して食い込み可能な突刺体を、同枠体の前面に形成したものである。
【００１０】
請求項４に記載の配線器具取付枠は、請求項３に記載の発明において、前記突刺体は少なくとも一対がそれぞれ相対向して設けられているものである。
【００１１】
【発明の実施の形態】
以下、この発明を配線用ボックスに具体化した実施形態を、図面に基づいて詳細に説明する。
【００１２】
（第１実施形態）
図１に示すように、配線用ボックス１１は前面に開口を有するボックス本体１２を備え、そのボックス本体１２は、底板１３と、枠体１４とを備え、前記底板１３と枠体１４とは連結部１５により連結されている。
【００１３】
まず、前記底板１３について説明すると、図３に示すように、底板１３は略平面長方形状をなし、その両長辺（図３では左右両側辺）は外方へ平面円弧状に突出している。また、底板１３の両長辺側には、底板１３の長さ方向へ沿ってそれぞれ４箇所に固定孔１７が形成され、図２に示すように、各固定孔１７には固定ビス１８が挿通可能になっている。そして、各固定孔１７からコンクリート壁１９に固定ビス１８を固定することにより、底板１３をコンクリート壁１９に固定して、連結部１５を介して枠体１４、即ち配線用ボックス１１をそのコンクリート壁１９に取付固定することができるようになっている。
【００１４】
次に、前記枠体１４について説明すると、図３に示すように、枠体１４は四角枠状をなし、前記底板１３の外周縁より外方位置において、その底板１３の各辺に対応する側壁２０〜２３が上方に向けて底板１３に対し略垂直に立設されている。前記各側壁２０〜２３のうち、上側壁２０（図３では上側）と下側壁２１（図３では下側）はそれぞれ前記底板１３の上下両短辺に対応し、左側壁２２（図３では左側）と右側壁２３（図３では右側）とはそれぞれ底板１３の左右両長辺に対応して設けられている。
【００１５】
そして、図１に示すように、各側壁２０〜２３によりボックス本体１２の周壁が形成され、その周壁の前端部及び後端部によって枠体１４には前後両方が開口している。枠体１４の後端側の開口には底板１３が位置し、枠体１４の前端側の開口が開放されている。枠体１４の外周面には所定幅を有した状態で外方へ水平に突出するリブ２４が枠体１４の全周に亘って形成され、そのリブ２４により枠体１４に所要の剛性を付与している。
【００１６】
図１及び図３に示すように、連結部１５は枠体１４の上側壁２０後部と底板１３の上側の短辺との間及び下側壁２１後部と底板１３の下側の短辺との間にそれぞれ一対ずつ設けられている。各連結部１５はそれぞれ蛇腹状に折り畳まれた状態で底板１３と枠体１４とを連結している。
【００１７】
図１及び図４に示すように、枠体１４の上側壁２０及び下側壁２１の相対向する両側部には、それぞれ底板１３側に開口する配線貫通孔２６が形成されている。そして、図２に示すように、ボックス本体１２内に収容されたケーブル２５が配線貫通孔２６内に配線可能になっている。
【００１８】
図１に示すように、枠体１４の左側壁２２の中央部には、その左側壁２２を貫通してビス孔２７が１箇所に形成され、右側壁２３の上下両側部には、その右側壁２３を貫通してビス孔２７が２箇所に形成されている。そして、各ビス孔２７から、例えば柱に図示しないビスを固定することにより、配線用ボックス１１を柱に取付固定することができるようになっている。このとき、配線用ボックス１１は前記リブ２４により柱と枠体１４との間に所定幅を有する状態で取付固定される。
【００１９】
枠体１４の上側壁２０及び下側壁２１の内面中央には、それぞれ上側壁２０及び下側壁２１の幅方向へ延びる配線器具取付部２８が一体形成されている。各配線器具取付部２８は、その前面がボックス本体１２の前面の開口側に臨むとともに、その前面には取付孔２８ａが形成されている。また、図７に示すように、各配線器具取付部２８内には内周に雌ねじが螺刻された雌ねじ部２８ｂが形成されている。図２に示すように、各取付孔２８ａには、四角枠状に形成され、その中央に配線器具２９を保持可能な配線器具保持枠３０の上下両端部に形成された孔３０ａから取付ビス３０ｂが挿通される。その取付ビス３０ｂの雄ねじを前記雌ねじ部２８ｂに螺合すると、配線器具保持枠３０を介して配線器具２９をボックス本体１２に取付けることができるようになっている。
【００２０】
図１及び図５に示すように、下側壁２１側の配線器具取付部２８の上端縁からは連結片３１がボックス本体１２の内方へ延設され、その連結片３１には前端面が開口する有底円筒状の保持部３２が連結されている。その保持部３２には磁石３３が保持されている。図１〜図４に示すように、枠体１４の上側壁２０及び下側壁２１の前面の相対向する位置には、それぞれ四角錐状をなし、その先端が前方へ突出するとともに、先端側へ向かうに従い先細形状をなす一対の突刺体３４が形成されている。そして、配線用ボックス１１の前方に壁材が配置されたとき、各突刺体３４はその先端側が壁材の裏面に食い込むようになっている。
【００２１】
前記配線用ボックス１１の使用方法について以下に記載する。
さて、コンクリート壁１９に配線用ボックス１１を取付けるには、まず、図５に示すように、底板１３の各固定孔１７からコンクリート壁１９に固定ビス１８を固定して、そのコンクリート壁１９に配線用ボックス１１を固定する。次いで、枠体１４を把持して前方へ引き寄せ、その枠体１４を図６に２点鎖線で示す位置へ移動させる。すると、折り畳まれた状態の連結部１５が伸張して底板１３の前面と枠体１４の後端縁との間に隙間が形成される。
【００２２】
そして、配線用ボックス１１の近傍位置に予め配線されたケーブル２５を前記隙間から配線用ボックス１１内へ収容する。続いて、枠体１４の前方への引き寄せ状態を解除すると、各連結部１５の付勢力により、枠体１４は図６に実線で示す位置へ復帰する。
【００２３】
その結果、ケーブル２５が配線貫通孔２６内に配線されるとともに、前記隙間が枠体１４により閉鎖され、ケーブル２５が側方へ抜け出るのが防止される。続いて、図２に示すように、コンクリート壁１９に固定された配線用ボックス１１の前面側に壁材３５を配置し、配線用ボックス１１をその壁材３５の裏側に配置する。
【００２４】
さて、壁材３５に配線器具２９を設置する場合は、まず、壁材３５の表側から磁石探知器を使用し、配線用ボックス１１の磁石３３を探知するとともに、壁材３５の裏側の配線用ボックス１１を探知する。そして、配線用ボックス１１の位置を探知した後、配線用ボックス１１の前面開口が壁材３５の表側に臨むように壁材３５に貫通孔３６を形成する。なお、配線用ボックス１１の位置を探知した後、連結片３１を折って保持部３２及び磁石３３をボックス本体１２から折り取り除去する。
【００２５】
その貫通孔３６から配線用ボックス１１内に手を挿入し、その配線用ボックス１１内のケーブル２５を把持して壁材３５の表側へ引き出す。壁材３５の表側へ引き出されたケーブル２５に配線器具２９を接続し、その配線器具２９を配線器具保持枠３０に保持させる。その配線器具保持枠３０の各孔３０ａからボックス本体１２の各取付孔２８ａに取付ビス３０ｂを挿通し、その取付ビス３０ｂの雄ねじを前記雌ねじ部２８ｂに螺合する。
【００２６】
すると、図７に示すように、取付ビス３０ｂの螺進により、各連結部１５が伸張するとともに、枠体１４がコンクリート壁１９側から壁材３５側へ引き寄せられ、図７に拡大図で示すように、各突刺体３４が壁材３５の裏側に食い込む。このとき、各突刺体３４はその先端側に向かうに従い先細に形成されているため、壁材３５の裏面に対する食い込みが容易に行われる。
【００２７】
その結果、壁材３５の表側に配線器具保持枠３０が壁材３５を介して配線用ボックス１１に取り付けられるとともに、配線器具２９が配線器具保持枠３０を介して配線用ボックス１１に取り付けられる。また、各突刺体３４の壁材３５裏面に対する食い込みにより、配線用ボックス１１が上下左右方向へ移動するのが規制される。そして、配線器具２９に図示しない電機機器のプラグが差し込まれて使用される。
【００２８】
配線器具２９の使用状態において、例えば電機機器の移動に伴うプラグの移動により配線器具２９に対して、その配線器具２９を中心として配線器具２９の上部を下方へ回転させる方向への応力が作用する。その応力は配線器具２９を保持する配線器具保持枠３０及び取付ビス３０ｂを介してボックス本体１２の上下一対の配線器具取付部２８に作用する。
【００２９】
すると、配線用ボックス１１には、壁材３５の裏面に沿ってその上部を下方へ回転させようとする応力が作用するが、その応力は各突刺体３４が食い込んでいる壁材３５に作用してその壁材３５に支持される。
【００３０】
前記第１実施形態によって発揮される効果について、以下に記載する。
（１）  ボックス本体１２の上下両側壁２０，２１の前端縁にそれぞれ一対の突刺体３４を形成し、各突刺体３４を配線用ボックス１１の前面開口側の壁材３５の裏面に食い込むように構成した。そのため、配線器具２９に対して応力が作用したとき、その応力は配線器具取付部２８から各突刺体３４が食い込んでいる壁材３５に作用してその壁材３５に支持される。従って、応力を上側壁２０及び下側壁２１が直接支持してその応力により上側壁２０及び下側壁２１が変形したり、損傷を受けたりするのを防止し、配線用ボックス１１に対して配線器具２９を安定して取付けることができる。
【００３１】
（２）  突刺体３４はボックス本体１２に一体形成されるとともに、簡易な構造をなしている。そのため、配線器具２９に作用する応力を壁材３５に支持させる構造を配線用ボックス１１と別体で設ける場合と異なり、配線用ボックス１１の構造を簡易化することができる。
【００３２】
（３）  各突刺体３４はそれぞれ四角錐状に形成されているため、配線用ボックス１１成形用の金型における各突刺体３４の成形部分の構造を簡易化して配線用ボックス１１の製造を容易に行うことができる。また、上側壁２０及び下側壁２１の前端面に突刺体３４を円錐状に形成する場合と比較して、各突刺体３４の基端側を上側壁２０及び下側壁２１の幅方向全体に延びて形成することができる。
【００３３】
（４）  各突刺体３４は先端側に向かうに従い先細に形成されている。そのため、各突刺体３４を、例えば四角柱状に形成した場合と比較して、各突刺体３４を壁材３５の裏面に容易に食い込ませることができ、各突刺体３４の壁材３５に対する食い込みによる抵抗を小さくすることができる。その結果、各取付ビス３０ｂの各取付孔２８ａに対する螺進作業を円滑に行うことができ、配線器具保持枠３０の配線用ボックス１１に対する取付作業を円滑に行うことができる。
【００３４】
（５）  一対の突刺体３４がボックス本体１２の上下に相対向して形成されているため、配線器具２９に作用する応力を効果的に壁材３５に支持させることができる。
【００３５】
（第２実施形態）
以下、第２実施形態では上記第１実施形態と異なる点について主に説明する。図８に示すように、合成樹脂製の配線用ボックス１１は、前面に開口を有する有底四角箱状のボックス本体１２を備えている。ボックス本体１２の底板１３は平面長方形状をなし、底板１３の周縁には、その底板１３の各辺に対応する側壁２０〜２３が上方に向けて底板１３に対し略垂直に立設されているとともに、それら側壁２０〜２３によりボックス本体１２の周壁が形成されている。
【００３６】
前記ボックス本体１２の上下両側壁２０，２１の相対向する両側部には、それぞれボックス本体１２の開口に連通する連通部２６ａが形成され、各連通部２６ａの外端縁には平面円形状をなす配線貫通孔２６が形成されている。そして、図９に示すように、ボックス本体１２の開口側からケーブル２５を連通部２６ａを通過させ、配線貫通孔２６にケーブル２５を貫通配線することができるようになっている。
【００３７】
ボックス本体１２の左側壁２２及び右側壁２３の前面の相対向する位置には、それぞれ前方へ突出する一対の突刺体３４が形成されている。また、ボックス本体１２の上側壁２０及び下側壁２１の前面において、前記連通部２６ａの間の相対向する位置には、それぞれ前方へ突出する一対の突刺体３４が形成されている。
【００３８】
図８に示すように、ボックス本体１２の上側壁２０及び下側壁２１の内周面中央には、それぞれ上側壁２０及び下側壁２１の幅方向へ延びる配線器具取付部２８が一体形成され、各配線器具取付部２８には第１実施形態と同様の構成の取付孔２８ａ及び雌ねじ部２８ｂが形成されている。
【００３９】
取付部３７は所定厚さを有する四角形状に形成され、その取付部３７には左側壁２２を貫通して横方向に延びる長孔状のビス孔２７が所定間隔をおいて３箇所に形成されている。そして、図１０に示すように、柱３８に対して前記ビス孔２７からビス２７ａを固定することにより、配線用ボックス１１を取付部３７を介して柱３８に取り付けることができるようになっている。
【００４０】
さて、第２実施形態の配線用ボックス１１の使用の際は、まず、図９に示すように、複数本のこまい竹３９を格子状に架設して形成され真壁内において、まず、配線用ボックス１１の大きさに対応する大きさの収容孔４０をこまい竹３９を切除して形成する。そして、その収容孔４０から配線用ボックス１１をこまい竹３９間に挿入し、ビス孔２７から柱３８にビス２７ａを固定して取付部３７を介して配線用ボックス１１を柱３８に取り付ける。
【００４１】
次いで、前記配線用ボックス１１の近傍に予め配線されたケーブル２５を配線貫通孔２６に配線する。続いて、図１０に示すように、柱３８に固定された配線用ボックス１１の前面側に壁材３５を配置し、配線用ボックス１１をその壁材３５の裏側に配置する。次に、第１実施形態と同様の方法により壁材３５に貫通孔３６を形成するとともに、ケーブル２５に配線器具２９を接続し、その配線器具２９を配線器具保持枠３０に保持させる。その配線器具保持枠３０の各孔３０ａからボックス本体１２の各取付孔２８ａに取付ビス３０ｂを挿通し、その取付ビス３０ｂの雄ねじを前記雌ねじ部２８ｂに螺合する。
【００４２】
すると、取付ビス３０ｂの螺進により、配線用ボックス１１が壁材３５側へ引き寄せられ、図１０に拡大図で示すように、各突刺体３４が壁材３５の裏面に食い込む。その結果、壁材３５の表側に配線器具保持枠３０が壁材３５を介して配線用ボックス１１に取り付けられるとともに、配線器具２９が配線器具保持枠３０を介して配線用ボックス１１に取り付けられる。
【００４３】
従って、第２実施形態の配線用ボックス１１においては第１実施形態と同様の効果を発揮することができる。それに加えて、各突刺体３４を介して応力を壁材３５に支持させることにより、連通部２６ａ及び配線貫通孔２６の形成により剛性が低下した上側壁２０及び下側壁２１の変形や損傷を効果的に防止することができる。
【００４４】
なお、各実施形態は、次のように変更して具体化することも可能である。
・  各実施形態において、各突刺体３４の基端側を円柱状、三角柱状、四角柱状、五角柱状又は六角柱状等に形成し、その先端面に先端側に向かうに従い先細となるように円錐状、三角錐状、四角錐状、五角錐状又は六角錐状に形成してもよい。各実施形態において、各突刺体３４を円柱状、三角柱状、四角柱状、五角柱状又は六角柱状等に形成してもよい。
【００４５】
・  各実施形態において、各突刺体３４をボックス本体１２と別体形成し、配線用ボックス１１の施工時に、各突刺体３４を接着剤等によりボックス本体１２の前面に形成してもよい。
【００４６】
・  第１実施形態において、上側壁２０及び下側壁２１に突刺体３４を１箇所又は３箇所以上形成してもよく、全ての側壁２０〜２３の開口側前端縁に突刺体３４を少なくとも１箇所以上形成してもよい。また、上側壁２０、下側壁２１、左側壁２２及び右側壁２３のうちの少なくとも１つに突刺体３４を少なくとも１箇所に形成してもよく、左側壁２２及び右側壁２３のみに突刺体３４を１箇所又は３箇所以上形成してもよい。
【００４７】
・  第２実施形態において、左側壁２２及び右側壁２３に突刺体３４を１箇所又は３箇所以上形成してもよく、全ての側壁２０〜２３の開口側前端縁に突刺体３４を少なくとも１箇所以上形成してもよい。また、上側壁２０、下側壁２１、左側壁２２及び右側壁２３のうちの少なくとも１つに突刺体３４を少なくとも１箇所に形成してもよく、上側壁２０及び下側壁２１のみに突刺体３４を１箇所又は３箇所以上形成してもよい。
【００４８】
・  第１実施形態の配線用ボックス１１において、枠体１４の左側壁２２のビス孔２７又は右側壁２３のビス孔２７から柱にビスを固定して配線用ボックス１１を柱に取付固定してもよい。そして、その配線用ボックス１１の前面側に壁材３５を配置し、各突刺体３４を壁材３５の裏面に食い込ませてもよい。さらに、その底板１３を省略し、枠体１４のみで配線器具取付枠を構成してもよい。
【００４９】
・  第１実施形態の配線用ボックス１１において、その底板１３を省略し、枠体１４のみで配線器具取付枠を構成し、その枠体１４に突刺体３４を設けてもよい。また、突刺体３４を円錐状、三角錐状に形成してもよい。加えて、突刺体３４を横三角柱状をなし、その角部が各側壁２０〜２３の長さ方向に沿って延びるように形成してもよい。
【００５０】
・  第２実施形態の配線用ボックス１１において、その底板１３を省略して配線器具取付枠を形成してもよい。
・  図１１に示すように、第１実施形態において、枠体１４の底板１３を省略し、枠体１４の上側壁２０及び下側壁２１の外面から連結部１５を蛇腹状に折り畳んだ状態で形成する。さらに、各連結部１５の先端部にそれぞれ固定板４１を形成し、その固定板４１に固定孔１７を形成して配線器具取付枠４２を形成してもよい。また、上記構成の連結部１５及び固定板４１を枠体１４の左側壁２２及び右側壁２３の外面に形成してもよい。
【００５１】
このように構成した場合、固定孔１７から固定ビス１８をコンクリート壁１９に固定して固定板４１をコンクリート壁１９に固定することにより配線器具取付枠４２をコンクリート壁１９に固定することができる。また、各連結部１５の伸張により枠体１４、即ち配線器具取付部２８をコンクリート壁１９側から壁材３５側へ移動させることができ、配線器具取付枠４２に配線器具２９を取り付けることができる。
【００５２】
さらに、前記実施形態より把握される技術的思想について以下に記載する。
・  前記突刺体は多角錐状に形成されている請求項１又は請求項２に記載の配線用ボックス。このように構成した場合、請求項１又は請求項２に記載の発明の効果に加え、配線用ボックス成形用の金型における各突刺体の成形部分の構造を簡易化して配線用ボックスの製造を容易に行うことができる。
【００５３】
・  前記突刺体はボックス本体に一体形成されている請求項１又は請求項２に記載の配線用ボックス。このように構成した場合、請求項１又は請求項２に記載の発明の効果に加え、配線器具に作用する応力を壁材に支持させる構造を配線用ボックスと別体で設ける場合と異なり、配線用ボックスの構造を簡易化することができる。
【００５４】
・  前記突刺体は先端側に向かうに従い先細に形成されている請求項１又は請求項２に記載の配線用ボックス。このように構成した場合、請求項１又は請求項２に記載の発明の効果に加え、突刺体を壁材の裏面に容易に食い込ませることができる。
【００５５】
・  前記突刺体は多角錐状に形成されている請求項３又は請求項４に記載の配線器具取付枠。このように構成した場合、請求項３又は請求項４に記載の発明の効果に加え、配線器具取付枠成形用の金型における各突刺体の成形部分の構造を簡易化して配線器具取付枠の製造を容易に行うことができる。
【００５６】
・  前記突刺体は枠体に一体形成されている請求項３又は請求項４に記載の配線器具取付枠。このように構成した場合、請求項３又は請求項４に記載の発明の効果に加え、配線器具に作用する応力を壁材に支持させる構造を配線器具取付枠と別体で設ける場合と異なり、配線器具取付枠の構造を簡易化することができる。
【００５７】
・  前記突刺体は先端側に向かうに従い先細に形成されている請求項３又は請求項４に記載の配線器具取付枠。このように構成した場合、請求項３又は請求項４に記載の発明の効果に加え、突刺体を壁材の裏面に容易に食い込ませることができる。
【００５８】
【発明の効果】
以上詳述したように、この発明によれば、次のような効果を奏する。
請求項１に記載の発明の配線用ボックスによれば、配線器具に作用する応力により、ボックス本体が変形したり、損傷を受けたりするおそれをなくし、ボックス本体に対して配線器具を安定して取り付けることができる。
【００５９】
請求項２に記載の発明の配線用ボックスによれば、請求項１に記載の発明の効果に加えて、配線器具に作用する応力を効果的に壁材に支持させることができる。
【００６０】
請求項３に記載の発明の配線器具取付枠によれば、配線器具に作用する応力により、枠体が変形したり、損傷を受けたりするおそれをなくし、枠体に対して配線器具を安定して取り付けることができる。
【００６１】
請求項４に記載の発明の配線器具取付枠によれば、請求項３に記載の発明の効果に加えて、配線器具に作用する応力を効果的に壁材に支持させることができる。
【図面の簡単な説明】
【図１】第１実施形態の配線用ボックスを示す斜視図。
【図２】第１実施形態の配線用ボックスを示す分解斜視図。
【図３】第１実施形態の配線用ボックスを示す正面図。
【図４】第１実施形態の配線用ボックスを示す平面図。
【図５】配線用ボックスをコンクリート壁に取付けた状態を示す正面図。
【図６】枠体を移動させた状態を示す側面図。
【図７】配線用ボックスに配線器具を取付けた状態を示す側断面図。
【図８】第２実施形態の配線用ボックスを示す斜視図。
【図９】配線用ボックスを柱に取り付けた状態を示す正面図。
【図１０】配線用ボックスに配線器具を取付けた状態を示す側断面図。
【図１１】配線器具取付枠を示す正面図。
【符号の説明】
１１…配線用ボックス、１２…ボックス本体、２０〜２３…周壁としての上側壁、下側壁、左側壁、右側壁、２８…配線器具取付部、２９…配線器具、３４…突刺体、３５…壁材、４２…配線器具取付枠。
【図１】
0003594881.tif 000002
【図２】
0003594881.tif 000003
【図３】
0003594881.tif 000004
【図４】
0003594881.tif 000005
【図５】
0003594881.tif 000006
【図６】
0003594881.tif 000007
【図７】
0003594881.tif 000008
【図８】
0003594881.tif 000009
【図９】
0003594881.tif 000010
【図１０】
0003594881.tif 000011
【図１１】
0003594881.tif 000012